(57)【要約】【課題】足置きプレート（足置き部材）が外れにくく、移動や保管に便利でかつ安全な、角度を変化させることができる足置き台を提供する。【解決手段】左右の支持部材２，３と、これら左右の支持部材２，３に支持される足置き部材５と、を備え、足置き部材５は、前後方向一端部の左右双方に、左右方向外側に向けて突出する、一端側係合突起51を有し、左右の支持部材２，３それぞれは、前後方向一端部に、一端側係合突起51がスライド自在に嵌入する、溝状又は溝孔状の一端側スライド溝21,31を備え、一端側スライド溝21,31は、上下方向に延びる縦スライド溝22,32と、この縦スライド溝22,32からそれぞれ高さ位置を変えて延びる複数個の横スライド溝23,33と、を備えており、一端側係合突起51を、高さの異なる横スライド溝23,33にスライド移動させることによって、足置き部材５の前後方向の傾きを変化させることができるように構成した足置き台１とした。【選択図】図１
2016002171.tif 000002
【特許請求の範囲】
【請求項１】
左右の支持部材と、
これら左右の支持部材に支持される足置き部材と、を備え、
前記足置き部材は、
前後方向一端部の左右双方に、左右方向外側に向けて突出する、一端側係合突起を有し、
前記左右の支持部材それぞれは、
前後方向一端部に、前記一端側係合突起がスライド自在に嵌入する、溝状又は溝孔状の一端側スライド溝を備え、
前記一端側スライド溝は、
上下方向に延びる縦スライド溝と、この縦スライド溝からそれぞれ高さ位置を変えて延びる複数個の横スライド溝と、を備えており、
一端側係合突起を、高さの異なる横スライド溝にスライド移動させることによって、足置き部材の前後方向の傾きを変化させることができるように構成した
足置き台。
【請求項２】
複数個の横スライド溝が、縦スライド溝からそれぞれ高さ位置を変えて、斜め下方に向かって延びている、
請求項１記載の足置き台。
【請求項３】
足置き部材は、
一端側係合突起に加えて、前後方向他端部の左右双方に、左右方向外側に向けて突出する、他端側係合突起を有し、
左右の支持部材それぞれは、
一端側スライド溝に加えて、前後方向他端部に、前記他端側係合突起がスライド自在に嵌入する、溝状又は溝孔状の他端側スライド溝を備え、
前記他端側スライド溝は、
前後方向に延びる長状に形成されている、
請求項１又は２記載の足置き台。
【請求項４】
足置き部材は、
一端側係合突起に加えて、前後方向他端部の左右双方に、左右方向外側に向けて突出する、他端側係合突起を有し、
左右の支持部材それぞれは、
一端側スライド溝に加えて、前後方向他端部の対面側に、前記他端側係合突起がスライド自在に嵌入する、溝状又は溝孔状の他端側スライド溝を備え、
前記他端側スライド溝は、
略横Ｕ字状ないし略横Ｖ字状に形成されており、
他端側係合突起を、略横Ｕ字状ないし略横Ｖ字状の他端側スライド溝の両端部の間をスライド移動させることによって、足置き部材の他端部の高さを変化させることができるように構成した
請求項１又は２記載の足置き台。
【請求項５】
左右の支持部材の一端側スライド溝のうち、どちらか一方が溝孔状であり、
足置き部材の左右双方の一端側係合突起のうち、溝孔状の一端側スライド溝に対応する一端側係合突起が、足置き部材に設けたネジ穴に螺合して左右方向外側に向けて突出するネジ手段であり、
この、ネジ手段には、頭部にハンドルノブが取り付けられており、
ネジ手段をネジ穴にねじ込む方向にハンドルノブを回転させて、ハンドルノブと足置き部材の間で支持部材を挟み込むことで、足置き部材を支持部材に位置固定することができるように構成した
請求項１〜４いずれか記載の足置き台。
【請求項６】
請求項１〜５いずれか記載の足置き台の使用方法であって、
使用者の足首側が指先側よりも高い位置となるように、足置き部材の前後方向の傾きを調節する
足置き台の使用方法。
【請求項７】
請求項１〜５いずれか記載の足置き台を左右に二つ用いて、
使用者の左右の足の角度に合わせて、左右の足置き部材の前後方向の傾きを個別に調節する
足置き台の使用方法。
【発明の詳細な説明】
【技術分野】
【０００１】
本発明は、足置き台および足置き台の使用方法に関する。特に、介護施設や病院などで、体の不自由な方が、車椅子などに座った際に用いるのに好適な足置き台、およびこれら施設などで足置き台を使用する方法に関する。
【背景技術】
【０００２】
足置き台は、種々の用途に用いられる。例えば、各種車両や乗り物などの座席近傍に設置して、着座者の足を載せる台として使用されている。また、事務所やオフィス、美容院や理容院、介護施設、医療現場などでも同様に使用されている。
【０００３】
また、高齢化社会を迎え、各種福祉機器のニーズが高まっている。福祉機器の代表例として、車椅子がある。車椅子には、フレームから延びるレッグパイプの先端部に足置き（フットサポート又はフットレスト）を備えているものがあるが、足置きの位置や角度の調節範囲が狭いものが多く、車椅子使用者の体の状態などにあわせて細かく調節することができない場合があった。
【０００４】
このような課題を解決するために、車椅子に付属の足置きにかえて、車椅子とは別体の足置き台を用いて、車椅子使用者の足の位置や足首の角度に合うように、足置き台の位置や角度を調節することが考えられる。
【０００５】
ここで、角度調節自在な足置き台は、例えば、OA作業従事者用などとしてではあるが、下記特許文献１に記載されている。
【０００６】
特許文献１には、「足置き台本体に低角度・中角度・高角度をつけた切込と、角度のある安定プレートを連係させ、足置きプレートを手前から前方へ移動することで低角度から高角度を作り、なおかつ高さを調節させて足首に無理のない角度に合わせ、足の疲労を取る移動角度付足置き台。」が記載され、これによって、「本考案の移動角度付き足置き台は、いすに腰かけた時足を手前から前方に移動した時同じ位置で角度が変わるのではなく、足の位置に合ったところで高さと角度が変わるので、足首が自然な状態にある為疲労感を取る効果がある。」などとある。
【先行技術文献】
【特許文献】
【０００７】
【特許文献１】登録実用新案第３００３９９１号公報
【発明の概要】
【発明が解決しようとする課題】
【０００８】
しかし、上記特許文献１記載の足置き台は、足置き台本体と足置きプレートを分離したもの（段落０００４）であるため、両者バラバラになりやすく、足置き台の移動時や保管時に不便であった。
また、このような構成であるから、足置きプレートが外れやすく、使用者や使用態様などによっては危険な場合もあった。
また、拘縮などによって足首関節の可動域が狭くなり、足首が延びているような状態（足首の角度が広がった状態となっている）の方については、足の向きに合うように足置きの角度を設定することが難しい場合や、このように設定した場合の使い勝手が悪いことがあった。
【０００９】
本発明は、上述の事柄に留意してなされたものであって、足置きプレートが外れにくく、移動や保管に便利でかつ安全な、角度を変化させることができる足置き台を提供することを目的とする。
【課題を解決するための手段】
【００１０】
上記課題を解決するために、左右の支持部材と、これら左右の支持部材に支持される足置き部材と、を備え、前記足置き部材は、前後方向一端部の左右双方に、左右方向外側に向けて突出する、一端側係合突起を有し、前記左右の支持部材それぞれは、前後方向一端部に、前記一端側係合突起がスライド自在に嵌入する、溝状又は溝孔状の一端側スライド溝を備え、前記一端側スライド溝は、上下方向に延びる縦スライド溝と、この縦スライド溝からそれぞれ高さ位置を変えて延びる複数個の横スライド溝と、を備えており、一端側係合突起を、高さの異なる横スライド溝にスライド移動させることによって、足置き部材の前後方向の傾きを変化させることができるように構成した足置き台とした。
【００１１】
この足置き台は、一端側係合突起を、高さの異なる横スライド溝にスライド移動させることによって、支持部材に対する足置き部材の前後方向の傾きを変化させることができる（足置き部材の角度を変化させることができる）。足置き部材の前後方向他端部は、少なくとも前後方向に移動可能であればよい。
また、足置き部材の左右双方に設けた一端側係合突起が左右の支持部材にそれぞれ設けた一端側スライド溝にスライド自在に嵌入した構成によって、足置き部材が左右の支持部材に支持されるため、足置き部材が左右の支持部材から外れにくく、移動や保管に便利でかつ安全な足置き台となる。
【００１２】
ここで、複数個の横スライド溝が、縦スライド溝からそれぞれ高さ位置を変えて、斜め下方に向かって延びている、足置き台とすることができる。
【００１３】
この足置き台は、横スライド溝が、縦スライド溝から斜め下方に向かって延びているため、一端側係合突起を横スライド溝の先端部（底部）付近に位置させると、ここから動きにくくなり、足置き部材の安定性が増す。
【００１４】
またここで、足置き部材は、一端側係合突起に加えて、前後方向他端部の左右双方に、左右方向外側に向けて突出する、他端側係合突起を有し、左右の支持部材それぞれは、一端側スライド溝に加えて、前後方向他端部に、前記他端側係合突起がスライド自在に嵌入する、溝状又は溝孔状の他端側スライド溝を備え、前記他端側スライド溝は、前後方向に延びる長状に形成されている、足置き台とすることも好ましい。
【００１５】
この足置き台は、足置き部材の他端側係合突起が左右の支持部材それぞれに設けた長状の他端側スライド溝にスライド自在に嵌入した構成によって、足置き部材の安定性がより増す。
【００１６】
またここで、足置き部材は、一端側係合突起に加えて、前後方向他端部の左右双方に、左右方向外側に向けて突出する、他端側係合突起を有し、左右の支持部材それぞれは、一端側スライド溝に加えて、前後方向他端部の対面側に、前記他端側係合突起がスライド自在に嵌入する、溝状又は溝孔状の他端側スライド溝を備え、前記他端側スライド溝は、略横Ｕ字状ないし略横Ｖ字状に形成されており、他端側係合突起を、略横Ｕ字状ないし略横Ｖ字状の他端側スライド溝の両端部の間をスライド移動させることによって、足置き部材の他端部の高さを変化させることができるように構成した足置き台とすることも好ましい。
【００１７】
この足置き台は、足置き部材の他端部の高さを変化させることができるとともに、他端側スライド溝が略横Ｕ字状ないし略横Ｖ字状であるため、他端側係合突起をスライドさせやすく（横コの字状よりも引っかかりが少なくなる）、足置き部材の他端部の高さを変化させやすい。
【００１８】
左右の支持部材の一端側スライド溝のうち、どちらか一方が溝孔状であり、足置き部材の左右双方の一端側係合突起のうち、溝孔状の一端側スライド溝に対応する（嵌入する）一端側係合突起が、足置き部材に設けたネジ穴に螺合して左右方向外側に向けて突出するネジ手段であり、このネジ手段には、頭部にハンドルノブが取り付けられており、ネジ手段をネジ穴にねじ込む方向にハンドルノブを回転させて、ハンドルノブと足置き部材の間で支持部材を挟み込むことで、足置き部材を支持部材に位置固定することができるように構成した足置き台とすることもできる。
【００１９】
この足置き台は、足置き部材を支持部材にしっかりと位置固定することができ、足置き部材の安定性や、足置き台の安全性がより一層増す。
【００２０】
また、これら足置き台の使用方法としては、使用者の足首側が指先側よりも高い位置となるように、足置き部材の前後方向の傾きを調節する足置き台の使用方法とすることができる。
【００２１】
この足置き台の使用方法は、足置き台を介護施設や医療現場などで使用する際に適した方法である。拘縮などによって足首関節の可動域が狭くなり、足首が延びているような状態（足首の角度が広がった状態）の方は、座った際に足首側が指先側よりも高い位置になることが自然な場合が多いため、本方法は、このような方に好適である。
【００２２】
また、これら足置き台の使用方法としては、足置き台を左右に二つ用いて、使用者の左右の足の角度に合わせて、左右の足置き部材の前後方向の傾きを個別に調節する足置き台の使用方法とすることもできる。
【発明の効果】
【００２３】
本発明により、足置きプレート（足置き部材）が外れにくく、移動や保管に便利でかつ安全な、角度を変化させることができる足置き台を提供することができる。
【図面の簡単な説明】
【００２４】
【図１】足置き台の分解斜視図である。
【図２】足置き台の斜視図である。
【図３】足置き台の側面図である。
【図４】一端側係合突起を高さの異なる横スライド溝にスライド移動させて足置き部材の前後方向の傾きを変える様子を説明するための、足置き台の側面図である。
【図５】他端側係合突起を他端側スライド溝の上端側にスライド移動させて足置き部材の他端部の高さを高くした状態で、一端側係合突起を高さの異なる横スライド溝にスライド移動させる様子を説明するための、足置き台の側面図である。
【図６】別例の足置き台の側面図である。
【発明を実施するための形態】
【００２５】
以下、図を用いて足置き台および足置き台の使用方法を例示説明する。足置き台１は、支持部材２，３と足置き部材５を備える。以降、これら各構成要素について説明するが、本発明およびその構成要素は、以下の説明に限定されるものではない。
なお、図１および図２において、横スライド溝23,33は、それぞれ上下方向に三本並んでいるが、中央部の横スライド溝23,33にのみ符号を付し、他は省略してある。また、図４および図５において、説明の便宜上、手前にあるハンドルノブ512を二点鎖線で示してあるほか、本来は破線表示される連結棒を省略してある。また両図において、(a)図にのみ符号を付し、他の図では符号を省略してある。
まず、足置き部材について説明する。
【００２６】
［足置き部材］
足置き部材５は、足を載せる部材であり、後述する左右の支持部材２，３の間に位置して、これら左右の支持部材２，３に支持される。本実施形態では、図１に示すように、足置き部材５は、略矩形状の板材で構成されている。
【００２７】
１．一端側係合突起
そして、足置き部材５の前後方向一端部には、左右双方に、左右方向外側に向けて突出する一端側係合突起51が設けられる。本実施形態では、足置き部材５の後端部の左右双方に一端側係合突起51が設けられる。ここで、本実施形態では、図１中右側の一端側係合突起51は、足置き部材５に設けたネジ穴50に螺合して突出するネジ手段511となっている。
【００２８】
このネジ手段511には、頭部にハンドルノブ512が取り付けられている。ネジ手段511は、図１中右側の支持部材３に設けた溝孔状の一端側スライド溝31（後述）を貫通して先端部がネジ穴50に螺合した状態で、頭部にハンドルノブ512が位置するような長尺状となっている。そして、ネジ手段511をネジ穴50にねじ込む方向にハンドルノブ512を回転させて、例えば、ハンドルノブ512と足置き部材５の間で支持部材３を挟み込むようにすることで、足置き部材５を支持部材３にしっかりと位置固定することができる。
【００２９】
２．他端側係合突起
一方、足置き部材５の前後方向他端部には、左右双方に、左右方向外側に向けて突出する他端側係合突起52が設けてある。本実施形態では、足置き部材５の前端部の左右双方に他端側係合突起52が設けてある。
【００３０】
［支持部材］
支持部材２，３は、足置き部材５を左右から支えるものである。本実施形態では、板状の支持部材２，３を左右一対用いてある。そして、支持部材２，３は互いに連結されている。本実施形態では、連結部材４を用いて左右の支持部材２，３の下部同士を連結してある。具体的には、図１にあるように、連結部材４としての円柱状の連結棒を三本用いて、左右の支持部材２，３を連結してある。円柱状の連結棒を用いると、足置き台１を持ち運ぶ際に把持しやすく、便利である。
【００３１】
１．一端側スライド溝
そして、左右の支持部材２，３それぞれには、前後方向一端部に、溝状又は溝孔状の一端側スライド溝21,31が形成されている。ここで、支持部材２，３の前後方向一端部は、足置き部材５の前後方向一端部と同一方向の端部となる。
この一端側スライド溝21,31には、これに対応する一端側係合突起51がスライド自在に嵌入する。そして、一端側スライド溝21,31は、上下方向に延びる縦スライド溝22,32と、この縦スライド溝22,32からそれぞれ高さ位置を変えて延びる複数個の横スライド溝23,33と、を備えている。複数の横スライド溝23,33は、概ね平行かつ同一方向に延びることが好ましい。
【００３２】
本実施形態では、図１中左側の支持部材２には、後端部の対面側（相対する支持部材と対面する側、換言すると足置き部材５の側）に、溝状の一端側スライド溝21が形成され、図１中右側の支持部材３には、後端部に、支持部材３を貫通する溝孔状の一端側スライド溝31が形成されている。
そして、溝状の一端側スライド溝21は、上下方向に延びる溝状の縦スライド溝22と、この縦スライド溝22から、それぞれ高さ位置を変えて延びる、三個の溝状の横スライド溝23を備えている。  三個の溝状の横スライド溝23は、前方斜め下方に向かって概ね平行かつ同一方向に延びている。
また、溝孔状の一端側スライド溝31は、上下方向に延びる溝孔状の縦スライド溝32と、この縦スライド溝32から、それぞれ高さ位置を変えて延びる、三個の溝孔状の横スライド溝33を備えている。三個の溝孔状の横スライド溝33も、前方斜め下方に向かって概ね平行かつ同一方向に延びている。
一端側スライド溝21と一端側スライド溝31とは、溝状と溝孔状の違いはあるもの、概ね同一形状（左右対称）に形成されている。本実施形態では、一端側スライド溝21,31は、略前方に向けて開口するとともに前方に向けて若干傾斜した、略Ｅ字状となっている。
【００３３】
２．他端側スライド溝
また、本実施形態では、左右の支持部材２，３それぞれには、前後方向他端部（前端部）の対面側（相対する支持部材と対面する側、換言すると足置き部材５の側）に、溝状の他端側スライド溝25,35が形成されている。この他端側スライド溝25,35には、これと対応する他端側係合突起52がスライド自在に嵌入する。そして、他端側スライド溝25,35は、概ね前後方向に延びる上下の並行溝と、これら並行溝の後端部を略円弧状ないし略横Ｖ字状に連結する連結溝とからなり、前方に向けて開口した略横Ｕ字状ないし略横Ｖ字状に形成されている。
他端側スライド溝25と他端側スライド溝35とは、概ね同一形状（左右対称）に形成されている。なお、他端側スライド溝25,35は、支持部材２，３を貫通する溝孔状であってもよい。
【００３４】
［足置き部材の角度調節方法］
足置き部材５の角度を変えるには、例えば図４に示すように、足置き部材５の前後方向一端部（後端部）に設けた一端側係合突起51を、高さの異なる横スライド溝33(23)にスライド移動させる。これによって、支持部材３に対する足置き部材５の前後方向の傾き（角度）を変化させることができる。
【００３５】
また、足置き部材５の前後方向他端部（前端部）に設けた他端側係合突起52を、略横Ｕ字状ないし略横Ｖ字状の他端側スライド溝35(25)の両端部（Ｕ字ないしＶ字の書き始めと書き終わりの位置に相当）の間をスライド移動させることによって、足置き部材５の他端部の高さを変化させることができる。図５には、足置き部材５の他端部の高さを高くした状態で、高さの異なる横スライド溝33(23)に一端側係合突起51をスライド移動させた状態を例示した。
【００３６】
［足置き台の使用方法］
前述した足置き台１は、介護施設や病院などで、体の不自由な方（使用者）が、車椅子などに座った際に用いるのに好適なものである。使用方法は特に制限されないが、足置き台１を左右二つ用いて、左右の足の角度（足首の角度）に適応するように、左右の足置き部材５の傾きをそれぞれ調節して用いることが好ましい。
【００３７】
また、拘縮などによって足首関節の可動域が狭くなり、足首が延びているような状態（足首の角度が広がった状態）の方については、使用者の足首側が指先側よりも高い位置となるように、足置き部材５の前後方向の傾きを調節することが好ましい。具体的には、足置き台を使用者の足の位置に置いた状態で、足置き部材５の表面（足が載置される）が、使用者からみて前方斜め上を向くように、足置き部材５の傾きなどを調節する。車椅子に座した使用者に足置き台を用いる場合、車椅子のフットサポートは跳ね上げておくことができる。
【００３８】
以上、特定の実施形態を参照して本発明を例示説明したが、本発明は上記実施形態に限定されるものではなく、当該技術分野における熟練者等により、本出願の願書に添付された特許請求の範囲から逸脱することなく、種々の変更及び修正が可能である。
【００３９】
例えば、上記実施形態では、右側の支持部材３の後端部に、右側の支持部材３を貫通する「溝孔状」の一端側スライド溝31を形成したが、これに限定されない。左側の支持部材２と同様に、後端部の対面側に、「溝状」の一端側スライド溝を形成してもよい。このとき、足置き部材５の一端側係合突起51のうち図１中右側の一端側係合突起51には、上記実施形態で説明したような、ハンドルノブ512を取り付けたネジ手段511を用いることができなくなる。
【００４０】
例えば、上記実施形態では、一端側スライド溝21,31が、上下方向に延びる縦スライド溝22,32と、この縦スライド溝22,32から「斜め下方」に向かって延びる複数個の横スライド溝23,33と、を備えていたが、これに限定されない。例えば図６に示すように、横スライド溝33(23)が、縦スライド溝32(22)から「概ね前方」に向かって略水平に延びる構成としてもよい。
【００４１】
例えば、上記実施形態では、横スライド溝23,33の数が三本であったが、これに限定されない。二本や四本などの複数本とすることができる。
【００４２】
例えば、上記実施形態では、他端側スライド溝25,35が、前方に向けて開口した略横Ｕ字状ないし略横Ｖ字状に形成されていたが、これに限定されない。例えば図６に示すように、他端側スライド溝25(35)が、前後方向に延びる長状（溝状又は溝孔状）に形成されていてもよい。足置き部材５の前後方向他端部が、前後方向にスライド自在であればよい。
【００４３】
例えば、足置き部材５の後端部（一端側係合突起51の存在する端部）に、足置き部材５の後端縁に沿ったスリット溝又はスリット孔を形成してもよい。これにより、足置き部材を把持しやすくなり、角度調節しやすくなる。
【００４４】
例えば、左右の支持部材２，３の形状や色彩は、本発明の作用を奏する限りにおいて、特に制限されず、当然のことながら、例えば、亀や兎などの動物を連想させるような形状や色彩とすることができる。
【符号の説明】
【００４５】
１  足置き台
２  支持部材（左側）
21  一端側スライド溝
22  縦スライド溝  
23  横スライド溝
25  他端側スライド溝
３  支持部材（右側）
31  一端側スライド溝
32  縦スライド溝
33  横スライド溝
35  他端側スライド溝
４  連結部材
５  足置き部材
50  ネジ穴
51  一端側係合突起
511  ネジ手段
512  ハンドルノブ
52  他端側係合突起
【図１】
2016002171.tif 000003
【図２】
2016002171.tif 000004
【図３】
2016002171.tif 000005
【図４】
2016002171.tif 000006
【図５】
2016002171.tif 000007
【図６】
2016002171.tif 000008